(57)【要約】【課題】光ディスクドライブの省電力動作モードを有効活用することができる情報処理装置、制御方法およびプログラムを提供する。【解決手段】通常動作モードと通常動作モードより消費電力の少ない省電力動作モードとを備えた光ディスクドライブ２０と、光ディスクドライブ２０を制御するフィルタドライバ２０１と、フィルタドライバ２０１から光ディスクドライブ２０に対してデータのアクセスが所定時間ないと判別された場合、光ディスクドライブ２０を通常動作モードから省電力動作モードに移行させる。【選択図】      図２
2010009494.tif 000002
【特許請求の範囲】
【請求項１】
通常動作モードと前記通常動作モードより消費電力の少ない省電力動作モードとを備えたメディアドライブと、
前記メディアドライブを制御する制御部と、
前記制御部から前記メディアドライブに対してデータのアクセスが所定時間ないと判別された場合、前記メディアドライブを前記通常動作モードから前記省電力動作モードに移行させる判別部とを備えることを特徴とする情報処理装置。
【請求項２】
請求項１に記載の情報処理装置において、
前記情報処理装置およびメディアドライブのいずれか１つ以上は、所定のボタンを備えており、前記所定のボタンが押下された場合は、前記省電力動作モードから前記通常動作モードに復帰させることを特徴とする情報処理装置。
【請求項３】
請求項１に記載の情報処理装置において、
前記メディアドライブが省電力動作モードである場合は、所定の表示を行う表示部をさらに備えることを特徴とする情報処理装置。
【請求項４】
請求項１に記載の情報処理装置において、
前記情報処理装置は記憶部をさらに備え、
前記メディアドライブの通常動作モード中に前記メディアドライブの状態の情報を前記記憶部に記憶しておき、前記メディアドライブが省電力動作モード中に前記メディアドライブの状態の問い合わせを受けた場合は、前記問い合わせに対して前記記憶部に記憶された前記メディアドライブの状態の情報を用いて応答することを特徴とする情報処理装置。
【請求項５】
通常動作モードと前記通常動作モードより消費電力の少ない省電力動作モードとを備えたメディアドライブと、前記メディアドライブを制御する制御部とを備えた情報処理装置で用いる制御方法であって、
前記制御部から前記メディアドライブに対してデータのアクセスが所定時間ないと判別された場合、前記メディアドライブを通常動作モードから前記メディアドライブが備える省電力動作モードに移行させることを特徴とする制御方法。
【請求項６】
請求項５に記載の制御方法において、
前記情報処理装置およびメディアドライブのいずれか１つ以上は、所定のボタンを備えており、前記所定のボタンが押下された場合は、前記省電力動作モードから前記通常動作モードに復帰させることを特徴とする制御方法。
【請求項７】
請求項５に記載の制御方法において、
前記情報処理装置は表示部をさらに備え、
前記メディアドライブが省電力動作モードである場合は、前記表示部に所定の表示を行うことを特徴とする制御方法。
【請求項８】
請求項５に記載の制御方法において、
前記情報処理装置は記憶部をさらに備え、
前記メディアドライブの通常動作モード中に前記メディアドライブの状態の情報を前記記憶部に記憶しておき、前記メディアドライブが省電力動作モード中に前記メディアドライブの状態の問い合わせを受けた場合は、前記問い合わせに対して前記記憶部に記憶された前記メディアドライブの状態の情報を用いて応答することを特徴とする制御方法。
【請求項９】
省電力動作モードを備えたメディアドライブと、前記メディアドライブを制御する制御部とを備えた情報処理装置における情報処理プログラムであって、
前記制御部から前記メディアドライブに対してデータのアクセスが所定時間ないと判別された場合、前記メディアドライブを通常動作モードから前記メディアドライブが備える省電力動作モードに移行させる判別手順をコンピュータに実行させる情報処理プログラム。
【請求項１０】
請求項１０に記載のプログラムにおいて、
前記情報処理装置は記憶部をさらに備え、
前記メディアドライブの通常動作モード中に前記メディアドライブの状態の情報を前記記憶部に記憶しておき、前記メディアドライブが省電力動作モード中に前記メディアドライブの状態の問い合わせを受けた場合は、前記問い合わせに対して前記メディアドライブの状態の情報を用いて応答することを特徴とするプログラム。
【発明の詳細な説明】
【技術分野】
【０００１】
本発明は、省電力動作モードを有するメディアドライブに係り、特にメディアドライブが有する省電力動作モードを有効に利用することができる情報処理装置、制御方法およびプログラムに関する。
【背景技術】
【０００２】
一般に、光ディスクドライブを備えたシステムにおいては、オペレーティングシステムが常に光ディスクドライブにポーリングすることでアクセスを行い、光ディスクドライブの状態を把握している。例えば、特許文献１では、オペレーティングシステムが常にポーリングにより光ディスクドライブにアクセスを行い、光ディスクドライブの状態を把握する技術が開示されている。
【特許文献１】特開２００５−２０９２８８号公報
【発明の開示】
【発明が解決しようとする課題】
【０００３】
しかしながら、特許文献１に記載された技術では、オペレーティングシステムがポーリングによって定期的に光ディスクドライブにアクセスを行っているため、光ディスクドライブが省電力動作モードを有する場合でも、当該光ディスクドライブが備える省電力動作モードに移行することがない。このため、光ディスクドライブの省電力動作モードが有効に活用されていない。
【０００４】
そこで、本発明は、光ディスクドライブの省電力動作モードを有効活用することができる情報処理装置、制御方法およびプログラムを提供することを目的とする。
【課題を解決するための手段】
【０００５】
上述した課題を解決するために、本発明の一態様によれば、通常動作モードと前記通常動作モードより消費電力の少ない省電力動作モードとを備えたメディアドライブと、前記メディアドライブを制御する制御部と、前記制御部から前記メディアドライブに対してデータのアクセスが所定時間ないと判別された場合、前記メディアドライブを前記通常動作モードから前記省電力動作モードに移行させる判別部とを備えることを特徴とする情報処理装置が提供される。
【０００６】
また、本発明の別の一態様によれば、通常動作モードと前記通常動作モードより消費電力の少ない省電力動作モードとを備えたメディアドライブと、前記メディアドライブを制御する制御部とを備えた情報処理装置で用いる制御方法であって、前記制御部から前記メディアドライブに対してデータのアクセスが所定時間ないと判別された場合、前記メディアドライブを通常動作モードから前記メディアドライブが備える省電力動作モードに移行させることを特徴とする制御方法が提供される。
【０００７】
さらに、本発明の別の一態様によれば、省電力動作モードを備えたメディアドライブと、前記メディアドライブを制御する制御部とを備えた情報処理装置における情報処理プログラムであって、前記制御部から前記メディアドライブに対してデータのアクセスが所定時間ないと判別された場合、前記メディアドライブを通常動作モードから前記メディアドライブが備える省電力動作モードに移行させる判別手順をコンピュータに実行させる情報処理プログラムが提供される。
【発明の効果】
【０００８】
本発明によれば、光ディスクドライブの省電力動作モードを有効活用することができる情報処理装置、制御方法およびプログラムを提供することができる。
【発明を実施するための最良の形態】
【０００９】
以下、本発明の実施形態について図面を参照しながら説明する。
【００１０】
まず、図１および図２を参照して、本発明の一実施形態に係るコンピュータの構成について説明する。この情報処理装置は、例えば、ノートブック型パーソナルコンピュータ１０として実現されている。
【００１１】
図１は、ノートブック型パーソナルコンピュータ１０のディスプレイユニットを開いた状態における斜視図である。本コンピュータ１０は、コンピュータ本体１１と、ディスプレイユニット１２とから構成されている。ディスプレイユニット１２には、ＬＣＤ（Liquid Crystal Display）１７から構成される表示装置が組み込まれており、そのＬＣＤ１７の表示画面は、ディスプレイユニット１２のほぼ中央に位置されている。
【００１２】
ディスプレイユニット１２は、コンピュータ本体１１に対して開放位置と閉塞位置との間を回動自在に取り付けられている。コンピュータ本体１１は薄い箱形の筐体を有しており、その上面にはキーボード１３、本コンピュータ１０を電源オン／オフするためのパワーボタン１４、入力操作パネル１５、タッチパッド１６および光ディスクドライブ（ＯＤＤ：メディアドライブ）２０などが配置されている。なお、本実施形態では、メディアドライブとして省電力動作モードを備えた光ディスクドライブ２０を用いて説明するが、省電力動作モードを備えた駆動装置であればよく、光学ドライブ等に限定されるものではない。
【００１３】
入力操作パネル１５は、押下されたボタンに対応するイベントをシステムに入力する入力装置であり、複数の機能をそれぞれに起動するための複数のボタンを備えている。これらボタン群には、省電力動作モード解除ボタン１５Ａ、ＴＶ起動ボタン、ＤＶＤ（Digital Versatile Disc）起動ボタンが含まれている。省電力動作モード解除ボタン１５Ａは、光ディスクドライブ２０が省電力動作モード時に押下されると、光ディスクドライブ２０の動作状態を通常動作モードに復帰させる。ＴＶ起動ボタンは、デジタルＴＶ放送番組のような放送番組データの再生及び記録を行うためのＴＶ機能を起動するためのボタンであり、ユーザによって押下されると、このＴＶ機能を実行するためのＴＶアプリケーションプログラムが起動される。また、ＤＶＤ起動ボタンは、ＤＶＤに記録されたビデオコンテンツを再生するためのボタンであり、ユーザによって押下されると、ビデオコンテンツを再生するためのアプリケーションプログラムが自動的に起動される。
【００１４】
次に、図２を参照して、本コンピュータ１０のシステム構成について説明する。
【００１５】
本コンピュータ１０は、図２に示されているように、ＣＰＵ１１１、ノースブリッジ１１２、（主）メモリ１１３、グラフィクスコントローラ１１４、サウスブリッジ１１９、ＢＩＯＳ−ＲＯＭ１２０、ハードディスクドライブ（ＨＤＤ）１２１、光ディスクドライブ（ＯＤＤ）２０、エンベデッドコントローラ／キーボードコントローラＩＣ（ＥＣ／ＫＢＣ）１２４、パワーボタン１４、省電力動作モード解除ボタン１５Ａおよびネットワークコントローラ１２５等を備えている。
【００１６】
ＣＰＵ１１１は、本コンピュータ１０の動作を制御するために設けられたプロセッサであり、ハードディスクドライブ（ＨＤＤ）１２１から主メモリ１１３にロードされる、オペレーティングシステム（ＯＳ）およびフィルタドライバ（制御部、判別部）２０１のような各種デバイスドライバを実行する。
【００１７】
また、ＣＰＵ１１１は、ＢＩＯＳ−ＲＯＭ１２０に格納されたシステムＢＩＯＳ（Basic Input Output System）も実行する。システムＢＩＯＳはハードウェア制御のためのプログラムである。
【００１８】
ノースブリッジ１１２はＣＰＵ１１１のローカルバスとサウスブリッジ１１９との間を接続するブリッジデバイスである。ノースブリッジ１１２には、主メモリ１１３をアクセス制御するメモリコントローラも内蔵されている。また、ノースブリッジ１１２は、ＡＧＰ（Accelerated Graphics Port）バスなどを介してグラフィクスコントローラ１１４との通信を実行する機能も有している。
【００１９】
グラフィクスコントローラ１１４は本コンピュータ１０のディスプレイモニタとして使用されるＬＣＤ１７を制御する表示コントローラである。このグラフィクスコントローラ１１４はビデオメモリ（ＶＲＡＭ）１１４Ａに書き込まれた画像データからＬＣＤ１７に送出すべき表示信号を生成する。
【００２０】
サウスブリッジ１１９は、ＬＰＣ（Low Pin Count）バス上の各デバイス、およびＰＣＩ（Peripheral Component Interconnect）バス上の各デバイスを制御する。また、サウスブリッジ１１９は、ＨＤＤ１２１、ＯＤＤ１２２を制御するためのＩＤＥ（Integrated Drive Electronics）コントローラを内蔵している。
【００２１】
ＨＤＤ１２１は、各種ソフトウェア及びデータを格納する記憶装置である。光ディスクドライブ２０は、ビデオコンテンツが格納されたＤＶＤなどの記憶メディアを駆動するためのドライブユニットである。また、光ディスクドライブ２０は、通常動作モードと省電力動作モード（例えば、スタンバイ等）を備えている。省電力動作モードは通常動作モードよりも低電力で動作するモードである。光ディスクドライブ２０に対してアクセスが一定時間なくなると、省電力動作モードに移行する。
【００２２】
エンベデッドコントローラ／キーボードコントローラＩＣ（ＥＣ／ＫＢＣ）１２４は、電力管理のためのエンベデッドコントローラと、キーボード（ＫＢ）１３およびタッチパッド１６を制御するためのキーボードコントローラとが集積された１チップマイクロコンピュータである。このエンベデッドコントローラ／キーボードコントローラＩＣ（ＥＣ／ＫＢＣ）１２４は、ユーザによるパワーボタン１４の操作に応じて本コンピュータ１０を電源オン／オフする機能を有している。さらに、エンベデッドコントローラ／キーボードコントローラＩＣ（ＥＣ／ＫＢＣ）１２４は、ユーザによる省電力動作モード解除ボタン１５Ａの操作に応じて、光ディスクドライブ２０を省電力動作モードから通常動作モードに復帰させる。ネットワークコントローラ１２５は、例えばインターネットなどの外部ネットワークとの通信を実行する通信装置である。
【００２３】
フィルタドライバ２０１は、オペレーティングシステムと光ディスクドライブ２０との間で動作するデバイスドライバである。フィルタドライバ２０１により、オペレーティングシステムから光ディスクドライブ２０にポーリング（光ディスクドライブ２０の状態の問い合わせ要求）が行われているか否かの判別が行われる。また、光ディスクドライブ２０および制御回路３００を省電力動作モードや通常動作モードに移行させる制御を行う。
【００２４】
図３は、サウスブリッジ１１９と光ディスクドライブ２０との接続構成を示したブロック図である。サウスブリッジ１１９は、シリアルＡＴＡ等の制御回路３００、シリアルＡＴＡ等の接続インターフェース部である接続部３０１を備えている。制御回路３００は、光ディスクドライブ２０と同様に省電力動作モードを備えており、フィルタドライバ２０１からの要求により省電力動作モードに移行する。また制御回路３００は、フィルタドライバ２０１からの要求により省電力動作モードから通常動作モードに移行する。フィルタドライバ２０１は、制御回路３００および接続部３０１を介して光ディスクドライブ２０に制御信号を送信し、光ディスクドライブ２０および制御回路３００を省電力動作モードや通常動作モードに移行させる制御を行う。
【００２５】
図４は、フィルタドライバ２０１の機能構成を示したブロック図である。フィルタドライバ２０１は、制御部４００、監視部４０１、入出力部４０２を備えている。制御部４００は、光ディスクドライブ２０および制御回路３００を省電力動作モードや通常動作モードに移行させる制御を行う。また、ＢＩＯＳ−ＲＯＭ１２０を介してサウスブリッジ１１９の制御回路３００に光ディスクドライブ２０の電源をオフする要求を送信することもできる。監視部４０１は、オペレーティングシステムから光ディスクドライブ２０にポーリングが行われているか否か、およびオペレーティングシステムが光ディスクドライブ２０とデータの授受を行っているか否かの判別を行う。データの授受とは、例えばオペレーティングシステムが光ディスクドライブ２０中の光ディスクドライブからデータの読み出しを行う場合、または、オペレーティングシステムが光ディスクドライブ２０中の光ディスクドライブにデータの書き込みを行う場合等である。監視部４０１によって、オペレーティングシステムが光ディスクドライブ２０とデータの授受を行っておらず、オペレーティングシステムから光ディスクドライブ２０にポーリングのみが行われていると判別すると、監視部４０１は、制御部４００に、その旨の通知を行う。入出力部４０２は、ＣＰＵ１１１およびサウスブリッジ１１９とのコマンドやデータの授受を行うインターフェースである。
【００２６】
以上のように構成された本発明の情報処理装置を適用した制御方法およびプログラムの処理について図５のフローチャートを参照して説明する。
【００２７】
ＣＰＵ１１１によりメモリ１１３にフィルタドライバ２０１がロードされる。ＣＰＵ１１１によって制御されるフィルタドライバ２０１は、オペレーティングシステムが光ディスクドライブ２０とデータの授受を行っておらず、オペレーティングシステムから光ディスクドライブ２０にポーリングのみが行われているか否かを判別する（ステップＳ１０１）。一般に、オペレーティングシステムが光ディスクドライブ２０とデータの授受を行っていない間は、オペレーティングシステムから光ディスクドライブ２０にポーリングのみが行われている。ステップＳ１０１で、フィルタドライバ２０１により、オペレーティングシステムが光ディスクドライブ２０とデータの授受を行っておらず、オペレーティングシステムから光ディスクドライブ２０にポーリングのみが行われていると判別されると（ステップＳ１０１のＹＥＳ）、フィルタドライバ２０１は、サウスブリッジ１１９の制御回路３００に光ディスクドライブ２０および制御回路３００を省電力動作モードに移行させる要求を送信し、光ディスクドライブ２０および制御回路３００を省電力動作モードに移行させる（ステップＳ１０２）。光ディスクドライブ２０および制御回路３００の通常動作モードから省電力動作モードへの移行については、光ディスクドライブ２０の通常動作モード時に、オペレーティングシステムから光ディスクドライブ２０へのポーリングをフィルタドライバ２０１の制御によってサウスブリッジ１１９の制御回路３００に遮断させることで、光ディスクドライブ２０へのアクセスがなくなり、光ディスクドライブ２０および制御回路３００が備える省電力動作モードが働き、省電力動作モードに移行させるものである。光ディスクドライブ２０および制御回路３００が省電力動作モードに移行した後は、オペレーティングシステムから光ディスクドライブ２０に対して行われるポーリング（状態問い合わせ要求）に対して、フィルタドライバ２０１が返答を行う。フィルタドライバ２０１は、光ディスクドライブ２０が省電力動作モードに移行する前の状態、例えば、光ディスクドライブ２０に光ディスクが挿入されているか否か等の情報を含む状態情報をオペレーティングシステムに返答する。また、光ディスクドライブ２０および制御回路３００が省電力動作モードである場合は、所定の表示を行う表示部を備える。この表示部は、例えばコンピュータ１０が備える動作確認用のＬＥＤ（Light Emitting Diode）であり、当該ＬＥＤを例えば点滅させることにより、光ディスクドライブ２０が省電力動作モードであることをユーザが容易に把握できるようにする。または、ＬＣＤ１７等の表示部に専用のアイコンを表示させるようにして、光ディスクドライブ２０が省電力動作モードである場合は、所定のアイコンとして表示させ、光ディスクドライブ２０が通常動作モードである場合は、上述した所定のアイコンとは別のアイコンとして表示させるようにすることもできる。さらに、フィルタドライバ２０１は、光ディスクドライブ２０および制御回路３００を省電力動作モードに移行させる場合、所定の移行時間を設定することもできる。例えば、光ディスクドライブ２０に対するデータの授受がなくなり、オペレーティングシステムから���ディスクドライブ２０へのポーリングを遮断するまでの時間を、例えば１０分〜６０分等に設定することができる。また、例えばオペレーティングシステムから光ディスクドライブ２０へのポーリングを遮断してから光ディスクドライブ２０および制御回路３００が省電力動作モードに移行する時間が例えば５分であれば、この５分を含んだ時間を考慮して、オペレーティングシステムから光ディスクドライブ２０へのポーリングを遮断するまでの時間を設定することも可能である。
【００２８】
光ディスクドライブ２０および制御回路３００は、省電力動作モードに移行すると、予め設定されている省電力動作モード、例えばスタンバイモード等に移行する。フィルタドライバ２０１は、所定のボタン、例えば省電力動作モード解除ボタン１５Ａやキーボードの所定のキー等の押下を検出すると（ステップＳ１０３のＹＥＳ）、光ディスクドライブ２０を省電力動作モードから通常動作モードに移行させる（ステップＳ１０４）。
【００２９】
また、必要に応じて、光ディスクドライブ２０の電源をオフすることもできる。例えば、図６に示すように、ＣＰＵ１１１によりメモリ１１３にフィルタドライバ２０１がロードされる。ＣＰＵ１１１によって制御されるフィルタドライバ２０１は、オペレーティングシステムが光ディスクドライブ２０とデータの授受を行っておらず、オペレーティングシステムから光ディスクドライブ２０にポーリングのみが行われているか否かを判別する（ステップＳ２０１）。ステップＳ２０１で、フィルタドライバ２０１により、オペレーティングシステムが光ディスクドライブ２０とデータの授受を行っておらず、オペレーティングシステムから光ディスクドライブ２０にポーリングのみが行われていると判別されると（ステップＳ２０１のＹＥＳ）、フィルタドライバ２０１は、ＢＩＯＳ−ＲＯＭ１２０を介してサウスブリッジ１１９の制御回路３００に光ディスクドライブ２０の電源をオフさせる要求を送信し、光ディスクドライブ２０の電源をオフさせる（ステップＳ２０２）。
【００３０】
また、上述した実施形態では、フィルタドライバ２０１の制御によって、光ディスクドライブ２０および制御回路３００を通常動作モードから省電力動作モードに移行させる処理について説明しているが、例えば、フィルタドライバ２０１の制御によって、光ディスクドライブ２０のみを通常動作モードから省電力動作モードに移行させるようにしてもよい。
【００３１】
上述した実施形態によれば、光ディスクドライブおよび制御回路が備えている省電力動作モードを有効に活用することができる。すなわち、アプリケーションからのアクセス要求を制御して、制御回路と光ディスクドライブへのアクセスを必要最小限に抑えることによって、制御回路と光ディスクドライブが搭載している省電力機能が有効になるような状態にすることで、省電力を図ることができる。
【００３２】
なお、本実施形態の制御処理の手順は全てソフトウェアによって実現することができるので、この手順を実行するプログラムをコンピュータ読み取り可能な記憶媒体を通じて、省電力動作モードを備えた光ディスクドライブを有するコンピュータにインストールするだけで、本実施形態と同様の効果を容易に得ることができる。
【００３３】
また、本発明は、上述した実施形態そのままに限定されるものではない。本発明は、実施段階では、その要旨を逸脱しない範囲で構成要素を変更して具現化できる。
【００３４】
さらに、上述した実施形態に開示されている複数の構成要素を適宜に組み合わせることで、種々の発明を形成できる。例えば、実施形態に示される全構成要素から幾つかの構成要素を削除してもよい。更に、異なる実施形態にわたる構成要素を適宜組み合わせてもよい。
【図面の簡単な説明】
【００３５】
【図１】本発明の一実施形態に係る情報処理装置の外観を示す図。
【図２】同実施形態に係る情報処理装置の主要な構成を示すブロック図。
【図３】同実施形態に係る情報処理装置の光ディスクドライブの接続関係を示すブロック図。
【図４】同一実施形態に係る情報処理装置のフィルタドライバの機能構成を示すブロック図。
【図５】同一実施形態に係る情報処理装置の処理方法を説明するためのフローチャート。
【図６】同一実施形態に係る情報処理装置の処理方法を説明するためのフローチャート。
【符号の説明】
【００３６】
１０…コンピュータ、１２…ディスプレイユニット、１４…電源ボタン、１５…入力操作パネル、１５Ａ…省電力動作モード解除ボタン、１６…タッチパッド、１７…ＬＣＤ、２０…光ディスクドライブ、１１１…ＣＰＵ、１１３…（主）メモリ、１１４…グラフィックスコントローラ、１２０…ＢＩＯＳ−ＲＯＭ、１２１…ＨＤＤ、１２４…ＥＣ／ＫＢＣ、１２５…ネットワークコントローラ、２０１…フィルタドライバ、３００…制御回路、３０１…接続部、４００…制御部、４０１…監視部、４０２…入出力部
【図１】
2010009494.tif 000003
【図２】
2010009494.tif 000004
【図３】
2010009494.tif 000005
【図４】
2010009494.tif 000006
【図５】
2010009494.tif 000007
【図６】
2010009494.tif 000008
【手続補正書】
【提出日】平成21年7月17日(2009.7.17)
【手続補正１】
【補正対象書類名】特許請求の範囲
【補正対象項目名】全文
【補正方法】変更
【補正の内容】
【特許請求の範囲】
【請求項１】
通常動作モードと前記通常動作モードより消費電力の少ない省電力動作モードとを備えたメディアドライブと、
前記メディアドライブが前記省電力動作モードに移行する前の前記通常動作モードにおける該ドライブの状態を記憶する記憶部と、
前記メディアドライブに対する要求が、該ドライブの状態を問い合わせるポーリングか否かを判別する判別部と、
前記要求を前記メディアドライブに出力する制御部であって、該要求が前記ポーリングであると前記判別部が判別したときは、前記メディアドライブに該要求を出力することなく、前記記憶部が記憶した状態を前記ポーリングに対して返答する制御部とを備えることを特徴とする情報処理装置。
【請求項２】
請求項１に記載の情報処理装置において、
前記制御部は、前記メディアドライブに対して所定時間なにも出力しなかった場合、前記メディアドライブを前記通常動作モードから前記省電力動作モードに移行させる要求を出力することを特徴とする情報処理装置。
【請求項３】
請求項１に記載の情報処理装置において、
前記情報処理装置およびメディアドライブのいずれか１つ以上は、所定のボタンを備えており、前記所定のボタンが押下された場合は、前記省電力動作モードから前記通常動作モードに復帰させることを特徴とする情報処理装置。
【請求項４】
請求項１に記載の情報処理装置において、
前記メディアドライブが省電力動作モードである場合は、所定の表示を行う表示部をさらに備えることを特徴とする情報処理装置。
【請求項５】
通常動作モードと前記通常動作モードより消費電力の少ない省電力動作モードとを有するメディアドライブを備えた情報処理装置で用いる制御方法であって、
前記メディアドライブが前記省電力動作モードに移行する前の前記通常動作モードにおける該ドライブの状態を記憶し、
前記メディアドライブに対する要求が、該ドライブの状態を問い合わせるポーリングか否かを判別し、
前記要求が前記ポーリングであると判別されたときは、前記メディアドライブに該要求を出力することなく、前記記憶された前記メディアドライブの状態を前記ポーリングに対して返答することを特徴とする制御方法。
【請求項６】
請求項５に記載の制御方法において、
前記メディアドライブに対して所定時間なにも出力しなかった場合、前記メディアドライブを前記通常動作モードから前記省電力動作モードに移行させる要求を出力することを特徴とする制御方法。
【請求項７】
請求項５に記載の制御方法において、
前記情報処理装置およびメディアドライブのいずれか１つ以上は、所定のボタンを備えており、前記所定のボタンが押下された場合は、前記省電力動作モードから前記通常動作モードに復帰させることを特徴とする制御方法。
【請求項８】
請求項５に記載の制御方法において、
前記情報処理装置は表示部をさらに備え、
前記メディアドライブが省電力動作モードである場合は、前記表示部に所定の表示を行うことを特徴とする制御方法。
【請求項９】
通常動作モードと前記通常動作モードより消費電力の少ない省電力動作モードとを有するメディアドライブを備えた情報処理装置における情報処理プログラムであって、
前記メディアドライブが前記省電力動作モードに移行する前の前記通常動作モードにおける該ドライブの状態を記憶する記憶手順と、
前記メディアドライブに対する要求が、該ドライブの状態を問い合わせるポーリングか否かを判別する判別手順と、
前記要求が前記ポーリングであると前記判別手順によって判別されたときは、前記メディアドライブに該要求を出力することなく、前記記憶手順によって記憶された状態を前記ポーリングに対して返答する制御手順とをコンピュータに実行させる情報処理プログラム。
【請求項１０】
請求項９に記載のプログラムにおいて、
前記メディアドライブに対して所定時間なにも出力しなかった場合、前記メディアドライブを前記通常動作モードから前記省電力動作モードに移行させる要求を出力することを特徴とするプログラム。
【手続補正２】
【補正対象書類名】明細書
【補正対象項目名】０００５
【補正方法】変更
【補正の内容】
【０００５】
上述した課題を解決するために、本発明の一態様によれば、通常動作モードと前記通常動作モードより消費電力の少ない省電力動作モードとを備えたメディアドライブと、前記メディアドライブが前記省電力動作モードに移行する前の前記通常動作モードにおける該ドライブの状態を記憶する記憶部と、前記メディアドライブに対する要求が、該ドライブの状態を問い合わせるポーリングか否かを判別する判別部と、前記要求を前記メディアドライブに出力する制御部であって、該要求が前記ポーリングであると前記判別部が判別したときは、前記メディアドライブに該要求を出力することなく、前記記憶部が記憶した状態を前記ポーリングに対して返答する制御部とを備えることを特徴とする情報処理装置が提供される。
【手続補正３】
【補正対象書類名】明細書
【補正対象項目名】０００６
【補正方法】変更
【補正の内容】
【０００６】
また、本発明の別の一態様によれば、通常動作モードと前記通常動作モードより消費電力の少ない省電力動作モードとを有するメディアドライブを備えた情報処理装置で用いる制御方法であって、前記メディアドライブが前記省電力動作モードに移行する前の前記通常動作モードにおける該ドライブの状態を記憶し、前記メディアドライブに対する要求が、該ドライブの状態を問い合わせるポーリングか否かを判別し、前記要求が前記ポーリングであると判別されたときは、前記メディアドライブに該要求を出力することなく、前記記憶された前記メディアドライブの状態を前記ポーリングに対して返答することを特徴とする制御方法が提供される。
【手続補正４】
【補正対象書類名】明細書
【補正対象項目名】０００７
【補正方法】変更
【補正の内容】
【０００７】
さらに、本発明の別の一態様によれば、通常動作モードと前記通常動作モードより消費電力の少ない省電力動作モードとを有するメディアドライブを備えた情報処理装置における情報処理プログラムであって、前記メディアドライブが前記省電力動作モードに移行する前の前記通常動作モードにおける該ドライブの状態を記憶する記憶手順と、前記メディアドライブに対する要求が、該ドライブの状態を問い合わせるポーリングか否かを判別する判別手順と、前記要求が前記ポーリングであると前記判別手順によって判別されたときは、前記メディアドライブに該要求を出力することなく、前記記憶手順によって記憶された状態を前記ポーリングに対して返答する制御手順とをコンピュータに実行させる情報処理プログラムが提供される。